(57)【要約】【解決手段】底部１と底部にヒンジ連結された一方の相対する側壁３と底部にヒンジ連結されたもう一方の相対する側壁２とを有し、箱型に組み立てられた状態から、一方の側壁を、底部に重なるように倒し、次いで、もう一方の側壁を、先に倒された一方の側壁に重なるように倒すことにより、折り畳み可能な折り畳みコンテナーにおいて、ＩＤタグＴを、上端水平フランジ部３ｂ２に近接して配設されたロック解除部材収納領域３ｅ内に形成されたＩＤタグ収容凹部Ｃに配設したものである。【効果】ＩＤタグを、上端水平フランジ部に近接して配設されたロック解除部材収納領域内に形成されたＩＤタグ収容凹部に配設したので、ＩＤタグは、ロック解除部材により覆われており、従って、ＩＤタグが損傷するようなことを防止することができる。【選択図】図７
2010006391.tif 000002
【特許請求の範囲】
【請求項１】
底部と底部にヒンジ連結された一方の相対する側壁と底部にヒンジ連結されたもう一方の相対する側壁とを有し、箱型に組み立てられた状態から、一方の側壁を、底部に重なるように倒し、次いで、もう一方の側壁を、先に倒された一方の側壁に重なるように倒すことにより、折り畳み可能な折り畳みコンテナーにおいて、ＩＤタグを、上端水平フランジ部に近接して配設されたロック解除部材収納領域内に形成されたＩＤタグ収容凹部に配設したことを特徴とする折り畳みコンテナー。
【発明の詳細な説明】
【技術分野】
【０００１】
本発明は、容器の識別、容器に収納されている物品の行き先、物品名、種類、数量等の種々の情報が蓄積されたＩＤタグが取り付け可能な折り畳みコンテナーに関するものである。
【背景技術】
【０００２】
従来、ＩＤタグを、折り畳みコンテナーの収納空間に対向しない側壁領域に取り付けるようにした折り畳みコンテナーが、一例として、特許文献１に開示されている。
【０００３】
【特許文献１】特開２００７−１６８８９０号公報
【発明の開示】
【発明が解決しようとする課題】
【０００４】
上述した従来の折り畳みコンテナーにおいては、ＩＤタグが、折り畳みコンテナーの外側に剥き出し状態に配設されているために、ＩＤタグが損傷するという問題があった。
【０００５】
また、上述した従来の折り畳みコンテナーにおいては、箱型に組み立てられた状態から先に倒される側壁の垂直端面と対向する、後から倒される側壁の両端部付近に、ＩＤタグが取り付けられるように構成されているために、ＩＤタグの取付領域が、縦長で、且つ、幅狭であり、従って、取り付けられるＩＤタグの大きさや形状に、大きな制限が加えられるという問題がある。また、近年、折り畳みコンテナーの軽量化や折り畳み時の高さを低く抑えるために、側壁の厚さを、可能な限り薄くする傾向にあるが、このように、側壁の厚さを薄くすると、更に、ＩＤタグの取り付け領域が狭められという問題があった。
【０００６】
本発明は、上述した従来の折り畳みコンテナーが有する課題を解決することになる。
【課題を解決するための手段】
【０００７】
本発明は、上述した目的を達成するために、底部と底部にヒンジ連結された一方の相対する側壁と底部にヒンジ連結されたもう一方の相対する側壁とを有し、箱型に組み立てられた状態から、一方の側壁を、底部に重なるように倒し、次いで、もう一方の側壁を、先に倒された一方の側壁に重なるように倒すことにより、折り畳み可能な折り畳みコンテナーにおいて、ＩＤタグを、上端水平フランジ部に近接して配設されたロック解除部材収納領域内に形成されたＩＤタグ収容凹部に配設したものである。
【発明の効果】
【０００８】
ＩＤタグを、上端水平フランジ部に近接して配設されたロック解除部材収納領域内に形成されたＩＤタグ収容凹部に配設したので、ＩＤタグは、ロック解除部材により覆われており、従って、ＩＤタグが損傷するようなことを防止することができる。
【０００９】
ＩＤタグが収容されるＩＤタグ収容凹部を、物品が収容されることのない上端水平フランジ部に近接して配設したので、折り畳みコンテナーに収容される物品により、ＩＤタグに蓄積された情報の読み取りやＩＤタグＴへの情報の書き込みが阻害されるようなことを防止することができる。
【実施例】
【００１０】
以下に、本発明の実施例について説明するが、本発明の趣旨を越えない限り何ら、本実施例に限定されるものでない。
【００１１】
先ず最初に、図１〜図３を用いて、ＩＤタグが取り付け可能な一例としての折り畳みコンテナーについて説明する。
【００１２】
本発明の全体構成は、底部１と、底部１にヒンジ連結された相対する長側壁２と、同じく、底部１にヒンジ連結された相対する短側壁３とから構成されており、図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーをコンパクトに折り畳むことができるように構成されている。また、図３に示されている状態から、長側壁２を、略垂直に立て、次いで、短側壁３を略垂直に立てることにより、図１に示されているように、折り畳まれていた折り畳みコンテナーを、箱型に組み立てることができる。
【００１３】
長側壁２には、その両垂直端に、板状部２ａに略垂直に、且つ、長側壁２の内壁面方向に延在する、縦長の係合枠２ｂが形成されており、係合枠２ｂには、上下方向に所定の間隔を置いて、板状部２ａに略平行な適当数の嵌合孔２ｂ１が形成されている。また、長側壁２の板状部２ａの上部両端角部付近には、それぞれ、コの字状のスリット２ｃを形成することにより、スリット２ｃで囲まれた部分が、片持ち状の係止弾性片２ｄに形成されており、係止弾性片２ｄの内壁面側の先端には、係止突部２ｄ１が突設されている。
【００１４】
次に、図４〜図６を用いて、短側壁３について説明する。
【００１５】
短側壁３は、横長の略長方形状の板状部３ａを有しており、板状部３ａには、板状部３ａの上下端辺及び左右端辺に沿って、板状部３ａの面に対して垂直に延在する周辺リブ３ｂが延設されている。周辺リブ３ｂを構成する垂直側部３ｂ１の外側には、板状部３ａを延長することにより形成された縦長の張出枠３ｃが形成されており、張出枠３ｃには、上述した長側壁２の係合枠２ｂに形成された嵌合孔２ｂ１に対応して、嵌合突部３ｃ１が形成されている。
【００１６】
短側壁３には、周辺リブ３ｂを構成する上端水平フランジ部３ｂ２と、周辺リブ３ｂを形成する相対する垂直側部３ｂ１と、垂直側部３ｂ１までは達していない、上端水平フランジ部３ｂ２の直下に形成された第１水平リブ３ｄ１と、第１水平リブ３ｄ１より幅が狭く、且つ、第１水平リブ３ｄ１の上方に位置する第２水平リブ３ｄ２と、第２水平リブ３ｄ２の両端から、第１水平リブ３ｄ１まで延在する内側垂直リブ３ｄ３と、第１水平リブ３ｄ１の両端から下方に延在する外側垂直リブ３ｄ４と、外側垂直リブ３ｄ４の下端と垂直側部３ｂ１を連結する第３水平リブ３ｄ５とにより囲まれたロック解除部材収納領域３ｅが形成されている。このように、ロック解除部材収納領域３ｅは、短側壁３の上端水平フランジ部３ｂ２と上端水平フランジ部３ｂ２の直下に形成された第１水平リブ３ｄ１と挟まれた、短側壁３の上端部領域に形成されている。
【００１７】
３ｆ１、３ｆ２は、上端水平フランジ部３ｂ２と第３水平リブ３ｄ５とから、互いに、対向して接近する方向に延在する上部垂直分枝リブ及び下部垂直分枝リブであり、上部垂直分枝リブ３ｆ１の先端からは、垂直側部３ｂ１方向に延在するとともに、垂直側部３ｂ１に連結された、垂直側部３ｂ１に向かって下方に傾斜した上部傾斜リブ３ｆ３が延在しており、また、下部垂直分枝リブ３ｆ２の先端からは、垂直側部３ｂ１方向に延在するとともに、垂直側部３ｂ１に連結された、垂直側部３ｂ１に向かって上方に傾斜した下部傾斜リブ３ｆ４が延在している。
【００１８】
３ｇは、上部傾斜リブ３ｆ１付近に位置する上端水平フランジ部３ｂ２に垂設された一対の略Ｕ字状のリブであり、略Ｕ字状のリブ３ｇの水平部下面には、第１上部係止突起３ｈ１がそれぞれ垂下されており、また、第１水平リブ３ｄ１の両端部付近の上面には、第１上部係止突起３ｈ１と対向するように、第１下部係止突起３ｈ２がそれぞれ立設されている。また、第２水平リブ３ｄ２の両端部付近の上面には、第２下部係止突起３ｈ３がそれぞれ立設されており、上端水平フランジ部３ｂ２の下面には、第２下部係止突起３ｈ３と対向するように第２上部係止突起３ｈ４がそれぞれ垂下されている。更に、第２水平リブ３ｄ２の中程の上面には、第３下部係止突起３ｈ５が立設されており、上端水平フランジ部３ｂ２の中程の下面には、第３下部係止突起３ｈ５と若干ずれて、第３上部係止突起３ｈ６が垂下されている。上記の第１上部係止突起３ｈ１、第１下部係止突起３ｈ２、第２下部係止突起３ｈ３、第２上部係止突起３ｈ４、第３下部係止突起３ｈ５及び第３上部係止突起３ｈ６と、短側壁３の板状部３ａとの間には、それぞれ、所定の間隙が形成されている。３ｉ１は、第２上部係止突起３ｈ４と第３上部係止突起３ｈ６との間に位置する上部水平部３ｂ２の下面に垂下された上部規制リブであり、３ｉ２は、第２下部係止突起３ｈ３と第３下部係止突起３ｈ５との間に位置する第２水平リブ３ｇ２の上面に立設された下部規制リブである。
【００１９】
次に、図５を用いて、長側壁２の板状部２ａに形成された係止弾性片２ｄを、係止弾性片２ｄの弾性に抗して回動させるためのロック解除部材Ｒについて説明する。
【００２０】
４は、ロック解除本体であり、ロック解除本体４は、上下に、互いに平行なレール部４ａ１が形成された略方形状の基部４ａを有しており、基部４ａの中央部には、作業者が、指を挿入可能な引っ掛け凹部４ａ２が形成されている。基部４ａには、正面形状が三角形状の土手部４ａ３が形成されており、三角形状の土手部４ａ３の先端部には、横長の略長方形板状の押圧部４ｂが延在されている。また、三角形状の土手部４ａ３の先端部からは、押圧部４ｂに連結された支持リブ４ｃが延設されており、更に、支持リブ４ｃの先端部には、上下方向に、且つ、三角形状の土手部４ａ３方向に傾斜した一対の弾性条片４ｄ１からなる矢印状の弾性翼部４ｄが形成されている。
【００２１】
上述したロック解除本体４は、ロック解除本体４のレール部４ａ１を、短側壁３の板状部３ａと、上述した短側壁３に形成された第１上部係止突起３ｈ１と第１下部係止突起３ｈ２との間隙に挿入するとともに、ロック解除本体４の押圧部４ｂを、短側壁３に形成された上部傾斜リブ３ｆ３と下部傾斜リブ３ｆ４と間に位置する垂直側部３ｂ１に形成されたスリット３ｊに挿入し、更には、ロック解除本体４の一対の弾性条片４ｄ１を、上部垂直分枝リブ３ｆ１と略Ｕ字状のリブ３ｇとにより形成される上部凹部３ｋ１及び下部垂直分枝リブ３ｆ２と外側垂直リブ３ｄ４とにより形成される下部凹部３ｋ２に、それぞれ、挿入することにより、短側壁３に配設されるように構成されている。ロック解除本体４に外力が作用していない状態においては、上部凹部３ｋ１及び下部凹部３ｋ２に挿入された一対の弾性条片３ｄ１の弾性力により、スリット３ｊに挿入されているロック解除本体４の押圧部４ｂは、短側壁３の張出枠３ｃの端部垂直リブ３ｃ２を越えて、外側に延在しないように構成されている。
【００２２】
５は、ロック解除操作体であり、ロック解除操作体５は、細長い水平基部５ａと、水平基部５ａの一方の先端部に形成された、平面形状が略Ｌ字状の押出枠５ｂと、水平基部５ａのもう一方の先端に形成された板状の摘み部５ｃとを有しており、板状の摘み部５ｃの一方の先端には、押出枠５ｂ方向に延在する水平部５ｃ１が形成されている。また、押出枠５ｂの水平基部５ａに沿った板部５ｂ１には、上下の互いに平行なレール部５ｂ２を残して、コの字状の補強枠５ｄが形成されている。５ｅは、コの字状の補強枠５ｄの垂直部５ｄ１と水平基部５ａとにより形成された隅部に形成された略方形状の案内板である。
【００２３】
上述したロック解除操作体５は、ロック解除操作体５のレール部５ｂ２を、短側壁３の板状部３ａと、上述した短側壁３に形成された第２下部係止突起３ｈ３と第２上部係止突起３ｈ４との間隙に挿入するとともに、水平基部５ａの下部を、短側壁３の板状部３ａと第３下部係止突起３ｈ５との間隙に挿入することにより、短側壁３に配設されるように構成されている。そして、ロック解除操作体５の押出枠５ｂの水平基部５ａに垂直な押出部５ｂ３は、ロック解除本体４の基部４ａに当接或いは接近して配置されるように構成されている。ロック解除部材収納領域３ｅの左領域に配置されるロック解除操作体５は、摘み部５ｃの水平部５ｃ１や案内板５ｅが、水平基部５ａの上方に位置するように配設される。また、ロック解除操作体５の案内板５ｅは、第２上部係止突起３ｈ４と第３上部係止突起３ｈ６との間に位置する上端水平フランジ部の下面に垂下された上部規制リブ３ｉ１の下端と当接しており、ロック解除操作体５の上下方向の過度の動きを規制するように構成されている。
【００２４】
また、ロック解除部材収納領域３ｅの右領域に配置されるロック解除操作体５は、上述したロック解除部材収納領域３ｅの左領域に配置されるロック解除操作体５とは反対に、摘み部５ｃの水平部５ｃ１や案内板５ｅが、水平基部５ａの下方に位置するように配設される。そして、ロック解除部材収納領域３ｅの右領域に配置されるロック解除操作体５は、ロック解除操作体５のレール部５ｂ２を、短側壁３の板状部３ａと、上述した短側壁３に形成された第２下部係止突起３ｈ３と第２上部係止突起３ｈ４との間隙に挿入するとともに、水平基部５ａの上部を、短側壁３の板状部３ａと第３上部係止突起３ｈ６との間隙に挿入することにより、短側壁３に配設されるように構成されている。そして、同様に、ロック解除操作体５の押出枠５ｂの水平基部５ａに垂直な押出部５ｂ３が、ロック解除本体４の基部４ａに当接或いは接近して配置されるように構成されている。また、ロック解除操作体５の案内板５ｅは、第２下部係止突起３ｈ３と第３下部係止突起３ｈ５との間に位置する第２水平リブ３ｇ２の上面に立設された下部規制リブ３ｉ２の上端と当接しており、ロック解除操作体５の上下方向の過度の動きを規制するように構成されている。
【００２５】
更に、ロック解除部材収納領域３ｅの左右領域に配置された一対のロック解除操作体５は、平面的に見て、摘み部５ｃ側に位置する水平基部５ａが、上下方向に部分的に重なるように配置されるとともに、摘み部５ｃを構成する垂直部５ｃ２が相対するように配置され、垂直部５ｃ２の端部から水平方向に延在する水平部５ｃ１が、互いに、接近する方向に位置するように配置されている。そして、後述するロック解除非作動時においては、一対のロック解除操作体５の摘み部５ｃを構成する水平部５ｃ１の先端間には、所定の間隙が形成されている。
【００２６】
図３に示されているように折り畳まれた状態から、図１に示されているように、箱型に折り畳みコンテナーを組み立てるには、先ず最初に、図２に示されているように、長側壁２を略垂直に立てる。次いで、底部１に重なるようにして折り畳まれている短側壁３を、略水平状態から垂直方向に回動させると、短側壁３の張出枠３ｃが、長側壁２に形成された係合枠２ｂに対向するように接近し、更に、短側壁３を、垂直方向に回動させると、短側壁３の張出枠３ｃの端部垂直リブ３ｃ２が、長側壁２の内壁面から突出している係止弾性片２ｄの係止突部２ｄ１を押して、係止弾性片２ｄを、外側面方向に、係止弾性片２ｄの弾性に抗して、回動させる。更に、短側壁３を、垂直方向に回動させると、短側壁３の張出部３ｃに突設された嵌合突部３ｃ１が、長側壁２の係合枠２ｂに形成された嵌合孔２ｂ１に挿入される。この短側壁３の張出枠３ｃに突設された嵌合突部３ｃ１が、長側壁２の係合枠２ｂに形成された嵌合孔２ｂ１に挿入される過程において、短側壁３の張出部３ｃの端部垂直リブ３ｃ２から、長側壁２に形成された係止弾性片２ｄの係止突部２ｄ１が外れて、係止弾性片２ｄが、その弾性により、元の位置に戻り、係止弾性片２ｄが、短側壁３の張出部３ｃに当接し、従って、短側壁３が、底部１方向に回動しようとしても、短側壁３の張出部３ｃが、長側壁２に形成された係止弾性片２ｄの係止突部２ｄ１に当接し、底部１方向への回動が阻止されることになり、短側壁３に外側から負荷が掛かっても、底部１方向に倒れるようなことがない。同様にして、もう一方の短側壁３を、略水平状態から垂直方向に回動させて、折り畳みコンテナーを箱型に組み立てる。
【００２７】
箱型に組み立てられた折り畳みコンテナーを折り畳む際には、短側壁３に配設されたロック解除部材収納領域３ｅの左右領域に配置された一対のロック解除操作体５の操作部としての摘み部５ｃを構成する相対する垂直部５ｃ２に、一方の手の親指と人指し指等を当てがい、その後、親指と人指し指等を、接近する方向に移動させて、一対のロック解除操作体５の摘み部５ｃを接近させると、ロック解除本体４の基部４ａに当接或いは接近して配置されているロック解除操作体５の押出枠５ｂが、ロック解除本体４を、上部凹部３ｋ１及び下部凹部３ｋ２に挿入された一対の弾性条片４ｄ１の弾性力に抗して、長側壁２方向に移動させる。すると、長側壁２の板状部２ａの上部両端角部付近に形成されている係止弾性片２ｄの係止突部２ｄ１と対峙した位置にあるロック解除本体４の押圧部４ｂが、短側壁３の張出枠３ｃの端部垂直リブ３ｃ２を越えて外側に突出し、長側壁２に形成された係止弾性片２ｄの係止突部２ｄ１を、係止突部２ｄ１が、短側壁３の張出枠３ｃから外れる方向、即ち、外側方向に押して、長側壁２の係止弾性片２ｄを、その弾性に抗して湾曲させる。長側壁２に形成された長側壁２の係止弾性片２ｄの係止突部２ｄ１が、短側壁３の張出枠３ｃから外れた時点で、短側壁３を、底部１方向に回動させて、一対の相対する短側壁３を、底部１上に重ねる。次いで、一対の相対する長側壁２を、底部１上に重ねられた一対の相対する短側壁３の上に重ねることにより、箱型に組み立てられた折り畳みコンテナーを折り畳むことができる。
【００２８】
次に、図４及び図７〜図９を用いて、ロック解除部材収納領域３ｅ内に形成されたＩＤタグ収容凹部Ｃについて説明する。
【００２９】
ＩＤタグ収容凹部Ｃは、ロック解除部材収納領域３ｅ内に位置する短側壁３の板状部３ａを、板状部３ａの内面（折り畳みコンテナーが箱型に組み立てられた際に、折り畳みコンテナーの内側に位置する面）側に膨出させることにより形成されている。
【００３０】
ＩＤタグ収容凹部Ｃは、奥壁ｃ１と、天板ｃ２と、該天板ｃ２と対向する底板ｃ３と、相対する側板ｃ４とにより構成されている。
【００３１】
ＩＤタグ収容凹部Ｃを構成する天板ｃ２には、短側壁３の板状部３ａと略面一となるように、適当数の上部係止片ｃ５が垂設されている。なお、実施例には、２個の上部係止片ｃ５が垂設されている例が示されている。
【００３２】
また、ＩＤタグ収容凹部Ｃを構成する底板ｃ３にも、短側壁３の板状部３ａと略面一となるように、適当数の下部係止片ｃ６が立設されている。なお、実施例には、２個の下部係止片ｃ６が垂設されている例が示されている。
【００３３】
更に、ＩＤタグ収容凹部Ｃを構成する相対する側板ｃ４のうち、一方の側板ｃ４には、短側壁３の板状部３ａと略面一となるように、適当数の側部係止片ｃ７が延設されている。なお、実施例には、１個の側部係止片ｃ７が延設されている例が示されている。
【００３４】
ロック解除部材収納領域３ｅに、上述したロック解除本体４とロック解除操作体５とからなるロック解除部材Ｒを配設する前に、弾性変形可能な横長のＩＤタグＴを、ＩＤタグ収容凹部Ｃに配設する。
【００３５】
ＩＤタグＴを、ＩＤタグ収容凹部Ｃへ収容するには、ＩＤタグＴの一方の垂直端部ｔ１を、ＩＤタグ収容凹部Ｃを構成する相対する側板ｃ４のうち、側部係止片ｃ７が形成されていない側板ｃ４から、ＩＤタグ収容凹部Ｃに配置し、ＩＤタグＴの上部水平縁部ｔ２を、ＩＤタグ収容凹部Ｃを構成する天板ｃ２に垂設された上部係止片ｃ５と奥壁ｃ１との間に形成された間隙に挿入するとともに、ＩＤタグＴの下部水平縁部ｔ３を、ＩＤタグ収容凹部Ｃを構成する底板ｃ３に立設された下部係止片ｃ６と奥壁ｃ１との間に形成された間隙に挿入し、更に、ＩＤタグＴの一方の垂直端部ｔ１を、ＩＤタグ収容凹部Ｃを構成する相対する側板ｃ４のうち、一方の側板ｃ４に延設された側部係止片ｃ７と奥壁ｃ１との間に形成された間隙に挿入することにより、ＩＤタグ収容凹部Ｃに形成された上部係止片ｃ５と下部係止片ｃ６と側部係止片ｃ７とにより、ＩＤタグＴを係止し、ＩＤタグＴを、ＩＤタグ収容凹部Ｃへ取り付ける。このようにして、ＩＤタグＴが、ＩＤタグ収容凹部Ｃに取り付けられた際には、ＩＤタグＴのもう一方の垂直端部ｔ１も、ＩＤタグ収容凹部Ｃに収容されることになる。
【００３６】
上述したようにして、ＩＤタグＴを、ロック解除部材収納領域３ｅ内に形成されたＩＤタグ収容凹部Ｃに取り付けた後、上述したロック解除本体４とロック解除操作体５とからなるロック解除部材Ｒを、ロック解除部材収納領域３ｅに配設する。
【００３７】
上述したように、ロック解除部材収納領域３ｅ内に形成されたＩＤタグ収容凹部Ｃに取り付けられたＩＤタグＴは、ロック解除部材Ｒにより、覆われているので、ＩＤタグＴの損傷を防止することができる。
【００３８】
また、ＩＤタグＴは、上端水平フランジ部３ｂ２に近接して配設されたロック解除部材収納領域３ｅ内に形成されたＩＤタグ収容凹部Ｃに取り付けられており、折り畳みコンテナーに収容される物品が、ロック解除部材収納領域３ｅまで収容されることがないので、折り畳みコンテナーに収容される物品により、ＩＤタグＴに蓄積された情報の読み取りやＩＤタグＴへの情報の書き込みが阻害されるようなことを防止することができる。
【００３９】
なお、上述した実施例においては、ロック解除部材収納領域３ｅに、ロック解除部材Ｒを配設した例が示されているが、ロック解除部材Ｒに代えて、ロック解除部材収納領域３ｅを覆うような盲蓋を配設することもできる。
【図面の簡単な説明】
【００４０】
【図１】図１は、本発明の折り畳みコンテナーが箱型に組み立てられた状態の斜視図である。
【図２】図２は、本発明の折り畳みコンテナーの折り畳み途中或いは組み立て途中の斜視図である。
【図３】図３は、本発明の折り畳みコンテナーの折り畳まれた状態の斜視図である。
【図４】図４は、本発明の折り畳みコンテナーの短側壁の外壁面側から見たロック解除部材等が省略された状態の正面図である。
【図５】図５は、本発明の折り畳みコンテナーの短側壁の外壁面側から見た部分分解斜視図である。
【図６】図６は、本発明の折り畳みコンテナーの短側壁の外壁面側から見た斜視図である。
【図７】図７は、本発明の折り畳みコンテナーの短側壁の部分拡大斜視図である。
【図８】図８は、図７と同様の本発明の折り畳みコンテナーの短側壁の部分拡大斜視図である。
【図９】図９は、図７の更なる部分拡大斜視図である。
【符号の説明】
【００４１】
Ｃ・・・・・・・・・・・・ＩＤタグ収容凹部
Ｒ・・・・・・・・・・・・ロック解除部材
Ｔ・・・・・・・・・・・・ＩＤタグ
１・・・・・・・・・・・・底部
２・・・・・・・・・・・・長側壁
３・・・・・・・・・・・・短側壁
３ｅ・・・・・・・・・・・ロック解除部材収納領域
４・・・・・・・・・・・・ロック解除本体
５・・・・・・・・・・・・ロック解除操作体
【図１】
2010006391.tif 000003
【図２】
2010006391.tif 000004
【図３】
2010006391.tif 000005
【図４】
2010006391.tif 000006
【図５】
2010006391.tif 000007
【図６】
2010006391.tif 000008
【図７】
2010006391.tif 000009
【図８】
2010006391.tif 000010
【図９】
2010006391.tif 000011